(57)【要約】【課題】バージョンアップ等により新たに設計したドライバソフトから利益を得る。【解決手段】ハードウエア、或いはソフトウエアを制御するドライバソフトをメーカからユーザへ供給するシステムにおいて、ダウンロードファイルへ広告を表示する期間を記録し、この期間を経過したら広告を非表示とする手段。複数の設定ウインドの各ウインドに、設定を行った場合に必要となるハード、或いはソフトの広告を表示する。広告がダウンロードファイルに添付された数を記憶し、該添付された数により、広告元へ請求する添付料を変える。【選択図】        図２
2004310512.tif 000002
【特許請求の範囲】
【請求項１】
ハードウエア、或いはソフトウエアを制御するドライバソフトをメーカからユーザへ供給するシステムにおいて、
ドライバソフトは、ネットワークを介してダウンロードされることを特徴とする広告付きファイル供給システム。
【請求項２】
前記ダウンロードファイルにおいて、該ファイルは広告を有することを特徴とする請求項１記載の広告付きファイル供給システム。
【請求項３】
前記ダウンロードファイルにおいて、該ファイルへダウンロードを行った時間を記録することを特徴とする請求項２記載の広告付きファイル供給システム。
【請求項４】
前記ダウンロードファイルにおいて、該ファイルへ広告を表示する期間を記録することを特徴とする請求項３記載の広告付きファイル供給システム。
【請求項５】
前記ダウンロードファイルにおいて、該ファイルへ記録されている広告を表示する期間を経過したら、該広告を非表示とすることを特徴とする請求項４記載の広告付きファイル供給システム。
【請求項６】
前記ダウンロードファイルにおいて、複数の設定ウインドを有し、各ウインドには各々異なる広告を表示することを特徴とする請求項５記載の広告付きファイル供給システム。
【請求項７】
前記ダウンロードファイルの各設定ウインドにおいて、各ウインドの広告は該ウインドで設定を行った場合に必要となるハード、或いはソフトであることを特徴とする請求項６記載の広告付きファイル供給システム。
【請求項８】
前記システムにおいて、広告がダウンロードファイルに添付された数を記憶し、該添付された数により、広告元へ請求する添付料を変えることを特徴とする請求項７記載の広告付きファイル供給システム。
【発明の詳細な説明】
【０００１】
【発明の属する技術分野】
ハードウエア、或いはソフトウエアを制御するドライバソフトを、メーカからユーザへ供給する広告付きファイル供給システムに関する。
【０００２】
【従来の技術】
ハードウエア、或いはソフトウエアを制御するドライバソフトを、メーカからユーザへ供給するシステムにおいて、従来は無償で配布していた。
【０００３】
【発明が解決しようとする課題】
しかしながら、前記従来例では次のような問題点があった。
【０００４】
１．新たに設計したドライバソフトから利益を得ることが出来ない。
【０００５】
本実施例では、上記問題点を解決する広告付きファイル供給システムを提供することを目的とする。
【０００６】
【課題を解決するための手段】
ハードウエア、或いはソフトウエアを制御するドライバソフトをメーカからユーザへ供給するシステムにおいて、ダウンロードファイルへダウンロードを行った時間を記録する手段、該ファイルへ広告を表示する期間を記録する手段、該ファイルへ記録されている広告を表示する期間を経過したら、該広告を非表示とする手段、複数の設定ウインドを有し、各ウインドには各々異なる広告を表示する手段、各ウインドの広告は該ウインドで設定を行った場合に必要となるハード、或いはソフトであること、広告がダウンロードファイルに添付された数を記憶し、該添付された数により、広告元へ請求する添付料を変える手段、を特徴とするシステム。
【０００７】
以上、本発明を整理して要約すれば以下の構成に集約できる。
【０００８】
（１）ハードウエア、或いはソフトウエアを制御するドライバソフトをメーカからユーザへ供給するシステムにおいて、
ドライバソフトは、ネットワークを介してダウンロードされることを特徴とする広告付きファイル供給システム。
【０００９】
（２）前記ダウンロードファイルにおいて、該ファイルは広告を有することを特徴とする前記（１）記載の広告付きファイル供給システム。
【００１０】
（３）前記ダウンロードファイルにおいて、該ファイルへダウンロードを行った時間を記録することを特徴とする前記（２）記載の広告付きファイル供給システム。
【００１１】
（４）前記ダウンロードファイルにおいて、該ファイルへ広告を表示する期間を記録することを特徴とする前記（３）記載の広告付きファイル供給システム。
【００１２】
（５）前記ダウンロードファイルにおいて、該ファイルへ記録されている広告を表示する期間を経過したら、該広告を非表示とすることを特徴とする前記（４）記載の広告付きファイル供給システム。
【００１３】
（６）前記ダウンロードファイルにおいて、複数の設定ウインドを有し、各ウインドには各々異なる広告を表示することを特徴とする前記（５）記載の広告付きファイル供給システム。
【００１４】
（７）前記ダウンロードファイルの各設定ウインドにおいて、各ウインドの広告は該ウインドで設定を行った場合に必要となるハード、或いはソフトであることを特徴とする前記（６）記載の広告付きファイル供給システム。
【００１５】
（８）前記システムにおいて、広告がダウンロードファイルに添付された数を記憶し、該添付された数により、広告元へ請求する添付料を変えることを特徴とする前記（７）記載の広告付きファイル供給システム。
【００１６】
〔作用〕
ユーザが負担することなく、新たに設計したドライバソフトに対して利益を得ることができる。
【００１７】
【発明の実施の形態】
従来例、及び実施例は、ドライバソフトとしてプリンタ用ドライバソフト（以下「プリンタドライバ」と表記）を用いて説明する。
【００１８】
図１に従来例を示す。
【００１９】
プリンタドライバにおいて、ウインドをオープンすると各種の設定ボタンがある。本実施例では、記録媒体設定としてメディア設定ボタン１、記録画質や記録スピードを設定するモード設定ボタン２、記録動作を開始させるための印刷実行ボタン３が配置されている。
【００２０】
また各々の設定画面をオープンすると、詳細な情報が選択できる。メディア設定画面ならば普通紙、専用紙、光沢紙、ＯＨＰなどである。モード設定画面ならばドラフト、標準、高画質、写真などである。
【００２１】
図２に本実施例を示す。
【００２２】
実施例では、プリンタドライバの各画面に、その画面で設定を行う内容に関連した商品のＣＭが設けられている。すなわち、最初の画面ではフォトＣＤのＣＭ４を設け、記録画像に必要な画像などの情報をユーザに知らせる。メディア設定の画面では、記録メディアのＣＭを設け、ユーザが望む記録状態を提供できる記録メディアの情報を提供する。
【００２３】
図３に本実施例のダウンロードのフローチャートを示す。
【００２４】
ホームページ等にダウンロードのリクエストが来たなら（３０２）、ダウンロードファイルを選択する（３０３）。選択されたダウンロードファイルに対して最適なＣＭを選択し（３０４）、ダウンロードファイルへリンクさせる（３０５）。ＣＭがダウンロードファイルへリンクされた数をカウントするカウンタをアップする（３０６）。ダウンロードされる日付・時間をファイルへ記録させ（３０７）、ユーザへダウンロードする（３０８）。
【００２５】
図４に本実施例のＣＭの時間管理のフローチャートを示す。
【００２６】
プリントリクエストが来たならば（４０１）、プリンタドライバを起動する（４０２）。ダウンロードされる時にファイルに記録された時刻ＴＦと現在の時刻ＴＮを比較し（４０３）、リファレンス時刻ＴＦに達してなければＣＭを表示する様に設定し（４０４）、時刻ＴＦを超えていればＣＭを削除する（４０５）。その後ドライバのウインドをオープンし（４０６）、各種設定の後（４０７）印刷を行う。
【００２７】
以上により、複数の広告を効果的にユーザへ見せることが出来る。また掲載期間を予め限定できるので、広告元への掲載料の管理が簡略化できる。更に古い商品の広告が掲載されることを防止できる。
【００２８】
【発明の効果】
新たに設計したドライバソフトから利益を得ることが出来る。
【図面の簡単な説明】
【図１】（ａ），（ｂ），（ｃ）  従来例を示す図
【図２】（ａ），（ｂ），（ｃ）  実施例を示す図
【図３】実施例のフローチャート
【図４】実施例のフローチャート
【符号の説明】
１  メディア設定ボタン
２  モード設定ボタン
３  印刷実行ボタン
４  フォトＣＤのＣＭ
【図１】
2004310512.tif 000003
【図２】
2004310512.tif 000004
【図３】
2004310512.tif 000005
【図４】
2004310512.tif 000006